(57)【要約】      （修正有）【課題】幼児等がスイッチ装置を悪戯しても昇降棚ユニットの収納棚を昇降等できないようにして、安全性を向上させたキッチン設備を提供する。【解決手段】フロアキャビネット１近傍の天井側に電動式の昇降棚ユニット２が設けられ、フロアキャビネット１の高さ位置付近に、昇降棚ユニット２の収納棚２Ｂ，２Ｃを遠隔操作で昇降等させるためのスイッチ装置（リモコン本体）１０が配置されたキッチン設備において、昇降棚ユニット２の高さ位置付近に、スイッチ装置１０の操作により収納棚２Ｂ，２Ｃ等の昇降等ができないようにロックするロック手段（切り替えスイッチ）１６が設けられて、幼児等がスイッチ装置１０を悪戯しても昇降棚ユニット２の収納棚２Ｂ，２Ｃ等を昇降等できないようになる（いわゆるチャイルドロック）。【選択図】図２
2008048771.tif 000002
【特許請求の範囲】
【請求項１】
フロアキャビネット近傍の天井側に電動式の昇降棚ユニットが設けられ、フロアキャビネットの高さ位置付近に、昇降棚ユニットの収納棚を遠隔操作で昇降等させるためのスイッチ装置が配置されたキッチン設備において、
前記昇降棚ユニットの高さ位置付近に、前記スイッチ装置の操作により収納棚の昇降等ができないようにロックするロック手段が設けられていることを特徴とするキッチン設備。
【請求項２】
前記スイッチ装置は、フロアキャビネットの高さ位置付近に着脱自在に設けられたリモコン本体であることを特徴とする請求項１に記載のキッチン設備。
【請求項３】
前記ロック手段は、昇降棚ユニットに設けられたリモコン受信器の電源をオフ可能な切り替えスイッチであることを特徴とする請求項２に記載のキッチン設備。
【発明の詳細な説明】
【技術分野】
【０００１】
本発明は、フロアキャビネット近傍の天井側に電動式の昇降棚ユニットが設けられたキッチン設備に関する。
【背景技術】
【０００２】
従来、フロアキャビネット近傍の天井側に電動式の昇降棚ユニットが設けられ、フロアキャビネットの高さ位置付近に、昇降棚ユニットの収納棚を遠隔（リモコン）操作で昇降等させるためのスイッチ装置（リモコン本体）が配置されたキッチン設備が提案されている（特許文献１参照）。
【特許文献１】特開２００６−４３２９２号公報
【発明の開示】
【発明が解決しようとする課題】
【０００３】
しかしながら、スイッチ装置（リモコン本体）がフロアキャビネットの高さ位置付近、例えばフロアキャビネットの引き出し扉のポケットやフロアキャビネット横の壁面等に配置されている場合、幼児等でもスイッチ装置（リモコン本体）に手が届くことがあるので、幼児等が悪戯して収納棚を昇降等させて遊ぶことがあるという問題があった。
【０００４】
本発明は、前記問題を解消するためになされたもので、幼児等がスイッチ装置を悪戯しても昇降棚ユニットの収納棚を昇降等できないようにして、安全性を向上させたキッチン設備を提供することを目的とするものである。
【課題を解決するための手段】
【０００５】
前記課題を解決するために、本発明は、フロアキャビネット近傍の天井側に電動式の昇降棚ユニットが設けられ、フロアキャビネットの高さ位置付近に、昇降棚ユニットの収納棚を遠隔操作で昇降等させるためのスイッチ装置が配置されたキッチン設備において、前記昇降棚ユニットの高さ位置付近に、前記スイッチ装置の操作により収納棚の昇降等ができないようにロックするロック手段が設けられていることを特徴とするキッチン設備を提供するものである。
【０００６】
請求項２のように、前記スイッチ装置は、フロアキャビネットの高さ位置付近に着脱自在に設けられたリモコン本体である構成とすることができる。
【０００７】
請求項３のように、前記ロック手段は、昇降棚ユニットに設けられたリモコン受信器の電源をオフ可能な切り替えスイッチである構成とすることができる。
【発明の効果】
【０００８】
本発明によれば、スイッチ装置がフロアキャビネットの高さ位置付近に配置されていて、幼児等でもスイッチ装置を操作できる場合であっても、幼児等の手が届かない昇降棚ユニットの高さ位置付近に設けたロック手段を操作して、スイッチ装置の操作によって収納棚の昇降等ができないようにロックすれば、幼児等がスイッチ装置を悪戯しても昇降棚ユニットの収納棚を昇降等できないようになるので（いわゆるチャイルドロック）、安全性が向上するようになる。
【０００９】
請求項２によれば、スイッチ装置は配線で接続されたタイプであっても良いが、ワイヤレスのリモコン本体であれば、着脱自在であるので、操作性が良好になる。
【００１０】
請求項３によれば、昇降棚ユニットの収納棚をリモコン本体によるリモコン操作で昇降等させる場合には、昇降棚ユニットのリモコン受信器の電源を切り替えスイッチでオフするだけで、昇降棚ユニットの収納棚を昇降等できないようになる。
【００１１】
ここで、リモコン本体によるリモコン操作で昇降等させないようにするために、昇降棚ユニットの電源自体をオフすることも考えられる。しかし、収納棚に乾燥器が付設されているような場合、オンされている乾燥機までオフされるという不具合が生じることになる。そこで、リモコン受信器の電源だけをオフすることで、オンされている乾燥機までオフされるという不具合が生じなくなる。
【００１２】
また、昇降棚ユニットに、リモコン本体による操作とは別に昇降棚の昇降等の手操作が可能なスイッチ類を設けている場合、このスイッチ類は、幼児等の手が届かない昇降棚ユニットの高さ位置付近にあることから、幼児等がこのスイッチ類を悪戯できないので（いわゆるチャイルドロック）、安全性が向上するようになる。
【発明を実施するための最良の形態】
【００１３】
以下、本発明を実施するための最良の形態について、図面を参照しながら詳細に説明する。
【００１４】
図１および図２に示すように、キッチン設備には、フロアキャビネット１が設置されているとともに、フロアキャビネット１の上方には、昇降棚ユニット２が設置されている。
【００１５】
フロアキャビネット１の上には、シンク３や電磁調理器４等が配置され、フロアキャビネット１の前面側には、シンク３に対応させて、引き出し可能な収納イス５が設けられている。
【００１６】
昇降棚ユニット２は電動式であり、例えば２台の収納棚２Ｂ，２Ｃがそれぞれ独立に昇降できるように設けられている。収納棚２Ｂ，２Ｃの内、シンク３で洗った食器等を収納する収納棚には、乾燥器（不図示）が付設されている場合がある。昇降棚ユニット２の横には、昇降式換気扇２Ａが設置されている。また、キッチンの天井等には、キッチンを照明するための照明器具（不図示）が取り付けられている。
【００１７】
昇降棚ユニット２の収納棚２Ｂ，２Ｃ等は、リモコン本体１０（図３参照）のスイッチ操作で、例えば上昇・下降・停止の操作、乾燥器のオンオフや強弱、タイマー等を操作することができる。
【００１８】
フロアキャビネット１の前面上部には、身体を支えるためのサポートバー１１が取り付けられている。このサポートバー１１は、フロアキャビネット１の前面上部に取り付けられたレール部材７にスライド部１１ａ〔図３（ａ）参照〕が差し込まれて支持されていて、レール部材７に沿って左右方向へ移動可能であるとともに、レール部材７からスライド部１１ａを抜き出すことで取り外しできるようになっている。
【００１９】
図３（ａ）（ｂ）に詳細に示したように、サポートバー１１の上面には、長さ方向の両側位置に、長さ方向に延びる長方形状の収納部１１ｂがそれぞれ形成されていて、各収納部１１ｂにリモコン本体１０をそれぞれ上方から着脱可能に収納できるようになっている。サポートバー１１は、フロアキャビネット１の高さ位置付近にリモコン本体１０を配置するためのものである。
【００２０】
リモコン本体１０の上面の操作パネル１０ａにスイッチ類１０ｂが設けられている。また、リモコン本体１０の上部には、収納部１１ｂとの間の隙間の上方をオーバーハングしてカバーする大きさに設定された摘み部１０ｃが形成され、この摘み部１０ｃは、リモコン本体１０を収納部１１ｂから上方に取り出す時に指で摘むことができる。
【００２１】
左側のリモコン本体１０は、例えば換気扇２Ａと収納棚２Ｂの上昇・下降・停止の操作、乾燥器のオンオフや強弱、タイマー等の操作と照明器具のオンオフや明暗等の操作をすることができ、右側のリモコン本体１０は、例えば収納棚２Ｃの上昇・下降・停止の操作と照明器具のオンオフや明暗等の操作をすることができる。
【００２２】
昇降棚ユニット２の前面には、換気扇２Ａと各昇降棚２Ｂ，２Ｃに対応して、リモコン本体１０による操作とは別に上昇・下降・停止の手操作が可能なスイッチ類２ａ，２ｂ，２ｃがそれぞれ設けられるとともに、リモコン受信器（例えば赤外線受光素子）２ｄがそれぞれ設けられている。
【００２３】
図４に示すように、リモコン本体１０には、スイッチ類１０ｂの操作で、昇降棚ユニット２のリモコン受信器２ｄに切り替え信号を発信するリモコン送信器（例えば赤外線発光素子）１０ｄが設けられている。
【００２４】
昇降棚ユニット２には、昇降棚２Ｂ，２Ｃ等を昇降させるための電動モータ１４と、この電動モータ１４に正逆転等の制御情報を出力する制御回路１５とが設けられて、この制御回路１５にリモコン受信器２ｄの受信信号が入力されることで、リモコン本体１０の操作によって電動モータ１４を正逆転等させることができる。
【００２５】
リモコン受信器２ｄの電源回路には、リモコン受信器２ｄの電源をオンオフ可能な切り替えスイッチ（ロック手段）１６が設けられていて、この切り替えスイッチ１６は、手操作スイッチ類２ａ，２ｂ，２ｃと同様に、昇降棚ユニット２の前面に設けられている。この切り替えスイッチ１６の取付け位置は、昇降棚ユニット１の高さ位置付近に該当する。
【００２６】
前記のようにキッチン設備を構成すれば、リモコン本体１０がフロアキャビネット１の高さ位置付近であるサポートバー１１の収納部１１ｂに収納配置されていて、幼児等でもリモコン本体１０を操作できる場合であっても、幼児等の手が届かない昇降棚ユニット２の高さ位置付近に設けた切り替えスイッチ１６を操作して、リモコン受信器２ｄの電源をオフすることで、リモコン本体１０の操作によって収納棚２Ｂ，２Ｃ等の昇降等ができないようにロックできるようになる。
【００２７】
これにより、幼児等がリモコン本体１０を悪戯しても昇降棚ユニット２の収納棚２Ｂ，２Ｃ等を昇降等できないようになるので（いわゆるチャイルドロック）、安全性が向上するようになる。
【００２８】
また、リモコン本体１０はワイヤレスで、サポートバー１１の収納部１１ｂから着脱自在であるので、操作性が良好になる。
【００２９】
さらに、昇降棚ユニット２のリモコン受信器２ｄの電源を切り替えスイッチ１６でオフするだけで、昇降棚ユニット２の収納棚２Ｂ，２Ｃ等を昇降等できないようにすることができる。
【００３０】
ここで、リモコン本体１０によるリモコン操作で昇降等させないようにするために、昇降棚ユニット２や換気扇２Ａの電源自体をオフすることも考えられる。しかし、換気扇２Ａがオン（回転）されていたり、収納棚２Ｂ，２Ｃに乾燥器が付設されているような場合、オンされている換気扇２Ａや乾燥機までオフされるという不具合が生じることになる。そこで、リモコン受信器２ｄの電源だけをオフすることで、オンされている換気扇２Ａや乾燥機までオフされるという不具合が生じなくなる。
【００３１】
また、昇降棚ユニット２に、リモコン本体１０による操作とは別に換気扇２Ａや昇降棚２Ｂ，２Ｃの昇降等の手操作が可能なスイッチ類２ａ〜２ｃを設けているが、このスイッチ類２ａは、幼児等の手が届かない昇降棚ユニット２の高さ位置付近にあることから、幼児等がこのスイッチ類２ａ〜２ｃを悪戯できないので（いわゆるチャイルドロック）、安全性が向上するようになる。
【００３２】
さらに、サポートバー１１の上面の収納部１１ｂに、リモコン本体１０を上方から着脱可能に収納することができるから、使用時には、リモコン本体１０を収納部１１ｂから上方に取り出すことで、サポートバー１１の近辺において昇降棚ユニット２の昇降棚２Ｂ，２Ｃ等のリモコン操作できるとともに、不使用時には、リモコン本体１０を上方から収納部１１ｂに直ちに収納ができるので、リモコン本体１０を別の場所に置き忘れ、あるいは紛失するおそれがなくなる。
【００３３】
前記実施形態は、電動式の昇降棚ユニット２の収納棚２Ｂ，２Ｃ等をリモコン操作で昇降等させるものであったが、スイッチ装置を配線で接続する遠隔操作でタイプであっても良い。
【図面の簡単な説明】
【００３４】
【図１】本発明の実施形態に係るキッチンの斜視図である。
【図２】昇降棚ユニットの収納棚等を下降させた図１のキッチンの斜視図である。
【図３】サポートバーであり、（ａ）はリモコン本体を収納した斜視図、（ｂ）はリモコン本体を取り出した斜視図である。
【図４】昇降棚ユニット側のリモコン受信器とリモコン本体側のリモコン送信器と切り替えスイッチとの関係を示すシステム図である。
【符号の説明】
【００３５】
１      フロアキャビネット
２      昇降棚ユニット
２Ｂ，２Ｃ  収納棚
２ｄ    リモコン受信器
１０    リモコン本体
１０ｄ  リモコン送信器
１１    サポートバー
１１ｂ  収納部
１４    電動モータ
１５    制御回路
１６    切り替えスイッチ（ロック手段）
【図１】
2008048771.tif 000003
【図２】
2008048771.tif 000004
【図３】
2008048771.tif 000005
【図４】
2008048771.tif 000006